(57)【要約】【課題】接続される生体情報計測装置の生体への接続状況に応じて適切な機能に自動的に切替える生体情報モニタを提供する。【解決手段】生体情報モニタでは、手術中や集中治療中などの計測モードであって、検出センサを一人の患者にある程度の長時間検出用接続して、一定期間、生体情報を連続して（繰り返して）計測するモードであるモニタモードで連続計測中に、所定範囲以上の腕帯内の空気袋の圧力変化が検出されると（Ｓ１０１でＹＥＳ）、腕帯に対して意図的な操作がなされたものとして適した計測モードが、回診や外来診療などの計測モードであって、複数の患者に接続し替えて、各患者の生体情報を順次計測するモードであるスポットチェックモードであると判断され、自動的に、計測モードをモニタモードからスポットチェックモードに切替えられる（Ｓ１０５）。【選択図】図３
2010104430.tif 000002
【特許請求の範囲】
【請求項１】
複数の計測モードを有する生体情報モニタであって、
生体に装着し、前記生体から得られる情報を計測して前記情報を示す信号を出力する計測手段と、
前記計測手段からの信号に基づいて生体情報を取得する取得手段と、
前記信号に基づいて計測モードを判断する判断手段と、
前記判断手段での判断に基づいて、現在の計測モードを、判断された前記計測モードに切替える切替手段とを備える、生体情報モニタ。
【請求項２】
前記判断手段は、前記信号に基づいて前記計測手段の前記生体に対する装着状況の変化があったことを検出し、前記検出内容に基づいて前記計測モードを判断する、請求項１に記載の生体情報モニタ。
【請求項３】
前記計測モードは、前記計測手段を同一の生体に対して装着して一定期間前記生体から得られる生体情報を連続して繰り返し計測し、前記生体情報の変化を監視する第１の計測モードと、前記計測手段で前記一定期間よりも短い時間間隔で生体に対して装着し直され、断続的に装着された生体から得られる生体情報を所定回数計測する第２の計測モードとを含み、
前記判断手段は、現在の計測モードが前記第１の計測モードであるときに、前記検出内容に基づいて前記計測モードを前記第２の計測モードと判断し、
前記切替手段は、前記第１の計測モードを前記第２の計測モードに切替える、請求項２に記載の生体情報モニタ。
【請求項４】
前記計測モードは、前記計測手段を同一の生体に対して装着して一定期間前記生体から得られる生体情報を連続して繰り返し計測し、前記生体情報の変化を監視する第１の計測モードと、前記計測手段で前記一定期間よりも短い時間間隔で生体に対して装着し直され、断続的に装着された生体から得られる生体情報を所定回数計測する第２の計測モードとを含み、
前記判断手段は、現在の計測モードが前記第２の計測モードであるときに、前記所定時間内に前記検出がなされなかった場合に前記計測モードを前記第１の計測モードと判断し、
前記切替手段は、前記第２の計測モードを前記第１の計測モードに切替える、請求項２または３に記載の生体情報モニタ。
【請求項５】
前記判断手段は、前記信号に基づいて、前記取得手段で前記生体情報が取得された後から所定時間内に前記計測手段の前記生体に対する装着状況の変化があったことを検出し、前記検出内容に基づいて前記計測モードを判断する、請求項４に記載の生体情報モニタ。
【請求項６】
前記取得手段で取得された前記生体情報を前記現在の計測モードに応じて記憶手段に格納する格納手段をさらに備え、
前記格納手段は、前記切替手段で現在の計測モードが前記第２の計測モードが前記第１の計測モードに切替えられた場合に、前記第２の計測モードであった期間内に取得された生体情報のうちの最後に取得された生体情報を、前記切替手段で切替えられた後の前記第１の計測モードで取得された生体情報の最初の生体情報として前記記憶手段に格納する、請求項４または５に記載の生体情報モニタ。
【請求項７】
前記判断手段は、前記生体情報として血圧を計測する計測手段、酸素飽和度を計測する計測手段、および体温を計測する計測手段とのうちの少なくとも１つの計測手段からの前記信号に基づいて前記計測モードを判断する、請求項１〜６のいずれかに記載の生体情報モニタ。
【請求項８】
前記計測手段は、複数の種類の生体情報を計測するための複数の計測手段を含み、
前記判断手段は、前記複数の計測手段のうち、前記現在の計測モードで計測されない生体情報を計測するための計測手段からの前記信号に基づいて前記計測モードを判断する、請求項１〜６のいずれかに記載の生体情報モニタ。
【発明の詳細な説明】
【技術分野】
【０００１】
この発明は生体情報モニタに関し、特に、複数の機能を切替えて用いる生体情報モニタに関する。
【背景技術】
【０００２】
生体情報モニタは、たとえば手術中や集中治療中の一人の患者にある程度の長時間接続して、一定期間、血圧や酸素飽和度や心電や体温や呼吸などの生体情報を連続して計測し、生体情報の変化を監視する装置である。
【０００３】
生体情報モニタは、上述のように一人の患者の生体情報を一定期間継続して計測しその変化を監視する他、回診や外来診療などにおいて、複数の患者に接続し替えて、各患者の血圧等の生体情報を順次計測する、という用いられ方もできる。生体情報モニタの前者の使い方をするための機能をモニタ機能と称し、後者の用い方をするための機能をスポットチェック機能と称する。
【０００４】
１台の生体情報モニタにモニタ機能とスポットチェック機能との両機能を搭載することができる。この場合、生体情報モニタは、計測モードとして、モニタ機能を用いて一人の患者の生体情報を一定期間継続して計測するモードであるモニタモードと、スポットチェック機能を用いて複数の患者の各生体情報を順次計測するモードであるスポットチェックモードとを有する。そのような生体情報モニタでは、必要に応じて、上記機能を切替えることで計測モードを切替えることができる。たとえば、特開２０００−６０８０５号公報（特許文献１）には、個人用の携帯型心電計であって、スポット計測後に一定時間操作されないと、自動的に連続計測モードに移行する生体情報計測装置が開示されている。
【特許文献１】特開２０００−６０８０５号公報
【発明の開示】
【発明が解決しようとする課題】
【０００５】
生体情報モニタが複数の機能を有する場合、機能の切替えが重要になる。具体的に、機能の切替えの重要性について説明する。
【０００６】
上述のようにモニタ機能は一定期間継続して患者の生態情報を計測する機能である。一方、スポットチェック機能は、一人の患者に対して１回、または所定の短い期間の生体情報を計測し、複数の患者に切替えて計測する機能である。そのため、モニタ機能と誤ってスポットチェック機能に切替えられていた場合、切替え直後の生体情報の計測しか実行されず、その後の生体情報の計測がなされない。また、モニタ機能には、継続して計測されている生体情報にしきい値以上の変化が生じたときに、その変化を医師等のオペレータに通知するために、生理学的または技術的な警報を発生させる機能が含まれる。一方、スポットチェック機能は、患者ごとに接続し替えて必要な生体情報を計測する機能であるため、上述のような警報を発生させないようにしている場合が多い。そのため、モニタ機能と誤ってスポットチェック機能に切替えられていた場合、患者の生体情報にしきい値以上の変化が生じていたとしても、上述のような警報が発生しない。これらの結果、オペレータが患者の生体情報のしきい値以上の変化、つまり容態の変化に気付くのが遅れる場合がある、という重大な問題が生じる。
【０００７】
また、モニタ機能は検出用センサの計測部位への接触状態も監視しており、生体情報のしきい値以上の変化として、検出用センサが計測部位から外れた場合にも上述の警報を発する。一方、スポットチェックモードでは複数の患者に検出用センサが付け替えられて各患者の生体情報が計測される。そのため、スポットチェック機能と誤ってモニタ機能に切替えられていた場合、検出用センサを付け替えるごとに上述のような警報が発生し、使い勝手が悪くなる、という問題も生じる。
【０００８】
本発明はこのような問題に鑑みてなされたものであって、複数の機能を切替えて用いる生体情報モニタであって、当該生体情報モニタに接続される生体情報計測装置の生体への接続状況に応じて適切な機能に自動的に切替える生体情報モニタを提供することを目的とする。
【課題を解決するための手段】
【０００９】
上記目的を達成するために、本発明のある局面に従うと、生体情報モニタは複数の計測モードを有する生体情報モニタであって、生体に装着し、生体から得られる情報を計測して計測された情報を示す信号を出力する計測手段と、計測手段からの信号に基づいて生体情報を取得する取得手段と、計測手段からの信号に基づいて計測モードを判断する判断手段と、判断手段での判断に基づいて、現在の計測モードを、判断された計測モードに切替える切替手段とを備える。
【００１０】
好ましくは、判断手段は、計測手段からの信号に基づいて計測手段の生体に対する装着状況の変化を検出し、検出内容に基づいて計測モードを判断する。
【００１１】
より好ましくは、計測モードは、計測手段を同一の生体に対して装着して一定期間当該生体から得られる生体情報を連続して繰り返し計測し、生体情報の変化を監視する第１の計測モードと、計測手段で上記一定期間よりも短い時間間隔で生体に対して装着し直され、断続的に装着された生体から得られる生体情報を所定回数計測する第２の計測モードとを含み、判断手段は、現在の計測モードが第１の計測モードであるときに、検出内容に基づいて計測モードを第２の計測モードと判断し、切替手段は、第１の計測モードを第２の計測モードに切替える。
【００１２】
好ましくは、計測モードは、計測手段を同一の生体に対して装着して一定期間当該生体から得られる生体情報を連続して繰り返し計測し、生体情報の変化を監視する第１の計測モードと、計測手段で上記一定期間よりも短い時間間隔で生体に対して装着し直され、断続的に装着された生体から得られる生体情報を所定回数計測する第２の計測モードとを含み、判断手段は、現在の計測モードが第２の計測モードであるときに、所定時間内に前記検出がなされなかった場合に計測モードを第１の計測モードと判断し、切替手段は、第２の計測モードを第１の計測モードに切替える。
【００１３】
より好ましくは、判断手段は、計測手段からの信号に基づいて、取得手段で生体情報が取得された後から所定時間内に計測手段の生体に対する装着状況の変化があったことを検出し、検出内容に基づいて計測モードを判断する。
【００１４】
より好ましくは、取得手段で取得された生体情報を現在の計測モードに応じて記憶手段に格納する格納手段をさらに備え、格納手段は、切替手段で現在の計測モードが第２の計測モードが第１の計測モードに切替えられた場合に、第２の計測モードであった期間内に取得された生体情報のうちの最後に取得された生体情報を、切替手段で切替えられた後の第１の計測モードで取得された生体情報の最初の生体情報として記憶手段に格納する。
【００１５】
好ましくは、判断手段は、生体情報として血圧を計測する計測手段、酸素飽和度を計測する計測手段、および体温を計測する計測手段とのうちの少なくとも１つの計測手段からの信号に基づいて計測モードを判断する。
【００１６】
好ましくは、計測手段は、複数の種類の生体情報を計測するための複数の計測手段を含み、判断手段は、複数の計測手段のうち、現在の計測モードで計測されない生体情報を計測するための計測手段からの信号に基づいて計測モードを判断する。
【発明の効果】
【００１７】
本発明によると、モニタ機能で使用すべき患者に対して誤ってスポットチェック機能を使用した場合でもモニタ機能へ自動的に切替えることができ、逆に、スポットチェック機能で使用すべき患者に対して誤ってモニタ機能を使用した場合でもスポットチェック機能へ自動的に切替えることができるという効果が得られる。
【発明を実施するための最良の形態】
【００１８】
以下に、図面を参照しつつ、本発明の実施の形態について説明する。以下の説明では、同一の部品および構成要素には同一の符号を付してある。それらの名称および機能も同じである。
【００１９】
図１は、本発明の実施の形態にかかる生体情報モニタの概観の具体例を示す図である。本実施の形態にかかる生体情報モニタ（以下、モニタと略する）１は、生体情報として、血圧（最高血圧値および／または最低血圧値など）、酸素飽和度、心電（心電図）、体温、および呼吸（呼気あるいは吸気中の二酸化炭素濃度等）を計測するものとする。
【００２０】
図１を参照して、モニタ１には、生体情報としての心電を計測するための電極２、酸素飽和度を計測するためのＳｐＯ２センサ３、体温を計測するための体温プローブ４、血圧を計測するための腕帯５、および呼吸を計測するためのエアチューブ６が接続される。
【００２１】
図２はモニタ１の構成の具体例を示すブロック図である。図２を参照して、モニタ１は、操作ボタンなどを含む操作部１０と、生体情報計測部２０と、計測結果などを表示するＬＣＤ（Liquid Crystal Display）を含む表示部４０と、警報報知部５０と、計測結果やプログラム等を記憶する記憶部６０と、通信部７０と、電源部８０と、これらを制御する制御部９０とを含んで構成される。
【００２２】
制御部９０はＣＰＵ（Central Processing Unit）９１を含み、ＣＰＵ９１は操作部１０から入力される操作信号に基づいて記憶部６０に記憶されているプログラムを読み出して実行し、それに伴って制御信号を生成して各部に出力することによって、全体を制御する。
【００２３】
生体情報計測部２０は、さらに、腕帯５に接続されて腕帯５内の空気袋の圧力変化に基づいて血圧を計測するための血圧計測部２１、ＳｐＯ２センサ３に接続されてＳｐＯ２センサ３からのセンサ信号に基づいて酸素飽和度を計測するための酸素飽和度計測部２２、電極２に接続されて電極２間の電位差に基づいて心電を計測するための心電計測部２３、体温プローブ４に接続されて体温プローブ４からの信号に基づいて体温を計測するための体温計測部２４、およびエアチューブ６に接続されてエアチューブ６を介して得られる患者の呼吸中の特定成分の濃度を計測するための呼吸計測部２５を含む。なお、これら計測部の具体的な構成は、いずれも本発明において特定の構成に限定されず、すでに広く用いられている構成を採用することができる。生体情報計測部２０は、制御部９０からの制御信号に従って、上記計測部のうち指定された計測部において生体情報を計測し、計測結果を制御部９０に入力する。
【００２４】
モニタ１は複数の計測モードを有する。複数の計測モードのうちの第１の計測モードとしては具体的にモニタモードが挙げられ、第２の計測モードとしてはスポットチェックモードが挙げられる。
【００２５】
モニタモードは、先述のように、たとえば手術中や集中治療中などの計測モードであって、生体情報計測部２０のうちの必要な計測部の検出センサを一人の患者にある程度の長時間検出用接続して、一定期間、生体情報を連続して（繰り返して）計測するモードである。モニタモードにおいては、制御部９０は、生体情報計測部２０に含まれる各計測部のうち、当該モードで用いると設定されている計測部の機能を有効とする。具体的には、心電および呼吸はモニタモードのみで計測し、スポットチェックモードでは計測しないと設定されているものとする。そして、当該計測部から計測結果を取得し、ＣＰＵ９１がモニタモード用のプログラムを実行して所定のしきい値以上の変化が生じたことを検出し、それに応じて警報報知部５０に警報を発生させるための制御信号を出力する。また、必要に応じて、計測結果を記憶部６０に記憶させる。
【００２６】
スポットチェックモードは、先述のように、たとえば回診や外来診療などの計測モードであって、複数の患者に接続し替えて、各患者の生体情報を順次計測するモードである。言い換えると、上述の一定期間よりも短い時間間隔で、断続的に、生体情報を計測するモードである。スポットチェックモードにおいては、制御部９０は、生体情報計測部２０に含まれる各計測部のうち、当該モードで用いると設定されている、または操作信号によって指定された計測部の機能を有効とする。そして、当該計測部から計測結果を取得し、ＣＰＵ９１がスポットチェックモード用のプログラムを実行して所定の処理を行なって、表示部４０に対して当該計測結果を表示させるための制御信号を出力する。また、必要に応じて、計測結果を記憶部６０に記憶させる。
【００２７】
さらに、制御部９０は、判断部９２および切替部９３を含む。これら機能は、ＣＰＵ９１が所定のプログラムを読み出して実行することによって実現される機能である。判断部９２は計測部からの計測結果を用いて後述する処理を行なって計測モードを決定し、切替部９３は当該計測モードとなるように自動的に計測モードを切替える。計測モードの切替の具体的な内容は、生体情報計測部２０に含まれる各計測部のうち、当該モードで用いる計測部の機能を有効としたり、当該モードで実行するプログラムを読み出したりすることが挙げられる。各モードにおいて用いる計測部の機能やプログラムなどの、当該計測モードを起動するモードとするために必要な情報は予め記憶部６０に記憶されており、切替部９３は、判断部９２において後述する処理によって起動する計測モードが決定されると、その計測モードに必要な情報を記憶部６０から読込んで、当該計測モードを起動させる。
【００２８】
［第１の実施の形態］
図３は、第１の実施の形態での処理の具体例を示すフローチャートである。図３のフローチャートは、ＣＰＵ９１が所定のプログラムを読み出して実行し、図２に示される各機能を発揮させることによって実現される。第１の実施の形態では、判断部９２は、モニタ１がモニタモードで計測中において、各計測部からの信号に基づいて、計測部に対する意図的な操作がなされたことを検出することで、自動的にスポットチェックモードに切替えると判断する。
【００２９】
具体的に、図３を参照して、判断部９２はモニタモードでの連続した生体情報の計測中において、血圧計測部２１から入力される腕帯５内の空気袋（カフ）の圧力変化を示す信号より、モニタモード開始時以外のタイミングで所定範囲以上の圧力変化があるか否かを監視する。モニタ１では血圧計測終了時であっても空気袋内の空気を完全に排気せずに空気袋に一定の空気を残し、ＣＰＵ９１は、一定時間その内圧を監視する。所定範囲以上の腕帯５内の空気袋の圧力変化を検出すると（ステップＳ１０１でＹＥＳ）、腕帯５の患者への装着状況に変化があった、すなわち腕帯５に対して意図的な操作がなされたものとして、判断部９２は適した計測モードがスポットチェックモードであると判断し、切替部９３に対して、計測モードをモニタモードからスポットチェックモードに切替えるための制御信号を出力する（ステップＳ１０５）。腕帯５内の空気袋の圧力変化が所定範囲内である場合には（ステップＳ１０１でＮＯ）、腕帯５の患者への装着状況に変化がない、すなわち腕帯５に対する意図的な操作は検出されていないものとして、判断部９２は適した計測モードの判断を行なわない。その結果、切替部９３に対して上述の制御信号は出力されず、計測モードとしてモニタモードが維持される（ステップＳ１０７）。
【００３０】
判断部９２で上述の処理が行なわれることで、モニタモードでの計測中に、たとえば腕帯５を巻き直すなどの、所定の計測部に対して意図的な操作がなされたことが検出された場合に、自動的に計測モードがモニタモードからスポットチェックモードに切替わる。これは、先述のように、スポットチェックモードが複数の患者に接続し替えて、各患者の生体情報を順次計測するモードであり、計測のたびに、腕帯５などの計測のための装置を計測対象の患者に対して装着し直すことを利用したものである。モニタ１で上のような動作がなされることで、本来、計測モードをスポットチェックモードとすべきところをモニタモードとして計測を行なった場合に、自動的に適切な計測モードであるスポットチェックモードに切替えられる。
【００３１】
なお、図４に示されるように、好ましくは、上記ステップＳ１０５で切替部９３で計測モードが切替えられるよりも以前に、判断部９２において計測モードの切替が判断されると、その旨を警告報知部５０や表示部４０にて報知するために、判断部９２からそれらに対して制御信号が出力される。これにより、警告報知部５０や表示部４０にて計測モードが切替わることが報知される（ステップＳ１０３）。より好ましくは、ステップＳ１０３での報知の際、切替の可否についての操作を操作者に対して促す。そして、操作部１０などで切替を承認する操作がなされたことによる操作信号が入力されると（ステップＳ１０４でＹＥＳ）、上記ステップＳ１０５での処理がなされる。ステップＳ１０３，Ｓ１０４のような処理がさらに行なわれることで、モニタモードでの計測の継続を確保することができる。
【００３２】
なお、上の例でモニタ１は、生体情報としての血圧を計測するための腕帯５内の空気袋の内圧変化に基づいて、腕帯５の患者への装着状況の変化、つまり巻き直しなどの意図的な操作がなされたことを検出してモニタモードをスポットチェックモードに切替えているが、同様に、他の生体情報の計測部に対する意図的な操作を検出して計測モードの切替えを判断することもできる。そこで、第１の変形例として酸素飽和度を計測するためのＳｐＯ２センサ３に対する意図的な操作、第２の変形例として体温を計測するための体温計測部２４に対する意図的な操作を検出して計測モードの切替を判断する場合の例を挙げて説明する。
【００３３】
［変形例１］
図５はＳｐＯ２センサ３を用いて酸素飽和度を計測する際のＳｐＯ２センサ３の用い方を説明するための図である。図５（Ａ），（Ｂ）に示されるように、ＳｐＯ２センサ３にはグリップ部分が備えられて、図５（Ａ）はグリップ部分を閉塞した状態、図５（Ｂ）はグリップ部分を開放した状態を示している。酸素飽和度を計測する際には、図５（Ａ）のグリップ部分が閉塞された状態から図５（Ｂ）のように開放した状態とし、グリップ部分でたとえば指先を挟むことで、グリップ部分内に設けられている図示されていない透過光センサで得られる投射光の透過率から血中の酸素飽和度が得られる。
【００３４】
ＳｐＯ２センサ３にはさらに、グリップ部分の開閉を検出するための機構が備えられる。グリップ部分の開閉を検出するための機構としては、具体的には、図５（Ａ）に示されているようなグリップ部分の反対側に設けられる開閉センサ３１が挙げられる。図５（Ｂ）のようにグリップ部分が開放されると開閉センサ３１が物理的に押下される、または反対側に設けられた電極と接することで通電する、などによってグリップ部分が開放されたことを示す信号を出力する。酸素飽和度計測部２２はかかる信号を受信すると制御部９０に入力する。判断部９２は入力された上記信号に基づいてＳｐＯ２センサ３に対する意図的な操作、つまりＳｐＯ２センサ３を患者に装着する操作がなされたことを検出し、図３または図４に示された動作と同様にして適切な計測モードを判断する。
【００３５】
図６は、第１の変形例における処理の具体例を示すフローチャートである。第１の変形例では、判断部９２はモニタモードでの連続した生体情報の計測中において、酸素飽和度計測部２２から入力される上述の信号より、モニタモード開始時以外のタイミングでＳｐＯ２センサ３の上述のグリップ部分を開放する操作がなされたか否かを監視する。ＳｐＯ２センサ３のグリップ部分を開放する操作がなされたことを検出すると（ステップＳ２０１でＹＥＳ）、ＳｐＯ２センサ３を装着し直す意図的な操作がなされたものとして、判断部９２は適した計測モードがスポットチェックモードであると判断し、切替部９３に対して、計測モードをモニタモードからスポットチェックモードに切替えるための制御信号を出力する（ステップＳ１０５）。ＳｐＯ２センサ３のグリップ部分を開放する操作がなされたことが検出されない場合には（ステップＳ２０１でＮＯ）、ＳｐＯ２センサ３に対する意図的な操作は検出されていないものとして、判断部９２は適した計測モードの判断を行なわない。その結果、切替部９３に対して上述の制御信号は出力されず、計測モードとしてモニタモードが維持される（ステップＳ１０７）。
【００３６】
なお、計測モードの切り替えが判断された場合には、第１の実施の形態と同様に、図４に示されるような、その旨の報知がなされ、切替を承認する操作に従って計測モードを切替えるようにしてもよい。
【００３７】
［変形例２］
体温計測部２４で生体情報として体温を計測する際には、計測に先立って初期化操作を行なう必要がある。体温計測部２４は初期化操作を受付けると、初期化信号を制御部９０に入力する。判断部９２は入力された上記信号に基づいて初期化操作、つまり体温計測部２４で新たに体温計測を行なうために操作がなされたことを検出し、図３または図４に示された動作と同様にして適切な計測モードを判断する。
【００３８】
図７は、第２の変形例における処理の具体例を示すフローチャートである。第２の変形例では、判断部９２はモニタモードでの連続した生体情報の計測中において、体温計測部２４から入力される上述の信号より、モニタモード開始時以外のタイミングで体温計測部２４に対して初期化操作がなされたか否かを監視する。体温計測部２４に対して初期化操作がなされたことを検出すると（ステップＳ３０１でＹＥＳ）、体温計測部２４で新たに体温計測を行なうために操作がなされたものとして、判断部９２は適した計測モードがスポットチェックモードであると判断し、切替部９３に対して、計測モードをモニタモードからスポットチェックモードに切替えるための制御信号を出力する（ステップＳ１０５）。体温計測部２４に対して初期化操作がなされたことが検出されない場合には（ステップＳ３０１でＮＯ）、体温計測部２４に対する意図的な操作は検出されていないものとして、判断部９２は適した計測モードの判断を行なわない。その結果、切替部９３に対して上述の制御信号は出力されず、計測モードとしてモニタモードが維持される（ステップＳ１０７）。
【００３９】
なお、計測モードの切り替えが判断された場合には、第１の実施の形態と同様に、図４に示されるような、その旨の報知がなされ、切替を承認する操作に従って計測モードを切替えるようにしてもよい。
【００４０】
以上の処理によって、モニタ１では、腕帯５に対する意図的な操作に限定されず、他の計測部に対する意図的な操作を検出することで最適な計測モードを判断し、計測モードを切替えることができる。さらに、これらの処理を組み合わせて、少なくとも１つの計測部において意図的な操作がなされたことが検出された際に、計測モードを切替えるようにしてもよい。このようにすることで、より適した計測モードとすることができる。
【００４１】
［第２の実施の形態］
図８は、第２の実施の形態での処理の具体例を示すフローチャートである。図８のフローチャートは、ＣＰＵ９１が所定のプログラムを読み出して実行し、図２に示される各機能を発揮させることによって実現される。第２の実施の形態では、判断部９２は、モニタ１がスポットチェックモードで動作中において、所定時間における各計測部からの信号に基づいて、所定時間内に計測部に対する意図的な操作がなされたことを検出しない場合に、自動的にモニタモードに切替えると判断する。
【００４２】
具体的に、図８を参照して、判断部９２はスポットチェックモードでの動作中において、血圧計測部２１から入力される腕帯５内の空気袋（カフ）の圧力変化を示す信号より、所定範囲以上の圧力変化があるか否かを監視する。所定範囲以上の圧力変化が検出されないまま所定時間が経過すると（ステップＳ４０１でＮＯ、かつＳ４０５でＹＥＳ）、判断部９２は適した計測モードがモニタモードであると判断し、切替部９３に対して、計測モードをスポットチェックモードからモニタモードに切替えるための制御信号を出力する（ステップＳ４０７）。上記所定時間は、直前の血圧の計測から設定された時間Ｔが該当する。時間Ｔは予め設定されているものであってもよいし、後から設定、または変更が可能であってもよい。
【００４３】
所定範囲以上の腕帯５内の空気袋の圧力変化が検出されると（ステップＳ４０１でＹＥＳ）、腕帯５に対して意図的な操作がなされた、つまりスポットチェックモードにおいて、次の患者に対して血圧計測を行なうために腕帯５を巻き直す操作がなされたものとして、判断部９２は適した計測モードの判断を行なわない。その結果、切替部９３に対して上述の制御信号は出力されず、計測モードとしてスポットチェックモードが維持される（ステップＳ４０３）。
【００４４】
判断部９２で上述の処理が行なわれることで、スポットチェックモードでの動作中に、たとえば腕帯５を巻き直すなどの、所定の計測部に対して意図的な操作が所定時間の間なされていないと検出された場合には、自動的に計測モードがスポットチェックモードからモニタモードに切替わる。モニタ１で上のような動作がなされることで、本来、計測モードをモニタモードとすべきところをスポットチェックモードとして計測を行なった場合に、自動的に適切な計測モードであるモニタモードに切替えられる。その結果、モニタモードでは患者の生体情報にしきい値以上の変化が生じた場合、警報が発生し、オペレータが患者の生体情報のしきい値以上の変化、つまり容態の変化に気付くのが遅れる、などという重大な事態を避けることができる。
【００４５】
なお、第２の実施の形態においても、第１の実施の形態と同様に、腕帯５に対する意図的な操作に限定されず、ＳｐＯ２センサ３や体温計測部２４などの、他の計測部に対する意図的な操作を検出することで最適な計測モードを判断して計測モードを切替えてもよい。さらには、これらを組合せ、複数の計測部に対して意図的な操作がなされたか否かを監視して、少なくとも１つの計測部に対して意図的な操作を検出することで最適な計測モードを判断して計測モードを切替えるようにしてもよい。
【００４６】
モニタ１では、スポットチェックモードにおいて計測された生体情報は、図９に示されるように、計測された時点で患者に関する情報や計測時に関する情報などの所定の情報と関連付けて、記憶部６０の所定領域に記憶される。または、少なくとも最新の１つの計測値のみが記憶されているようにしてもよい。モニタモードにおいては、計測対象の患者ごとに、連続して計測される生体情報が順次記憶されていく。なお、これら各計測モードで計測された生体情報は異なる記憶領域に記憶されてもよいし、同じ記憶領域に記憶されてもよい。このように、モニタ１では、いずれの計測モードにおいても計測された生体情報は記憶部６０の所定領域に記憶されるが、その記憶方法が異なっている。そのため、上述のようにして計測モードが切替えられた際には、記憶部６０への記憶方法も切替える必要がある。そこで、第２の実施の形態の処理の上記ステップＳ４０７では、好ましくは、図１０に示されるメモリ処理を含んだ切替処理が行なわれる。
【００４７】
図１０を参照して、上記ステップＳ４０５で、所定範囲以上の腕帯５内の空気袋の圧力変化が検出されないまま最終の血圧測定から設定された時間Ｔが経過したことが検出されると（ステップＳ４０５でＹＥＳ）、その時点で各計測部は、各生体情報を計測し、制御部９０は得られた生体情報を一時的な記憶領域に記憶させる（ステップＳ５０１）。ここで記憶される記憶領域は、記憶部６０内であって、各計測モードで計測された生体情報が記憶される領域とは異なる領域であるものとする。
【００４８】
ステップＳ５０１で各生体情報が計測された後に判断部９２は切替部９３に対して計測モードを切替えるための制御信号を生成して出力し、計測モードをスポットチェックモードからモニタモードに切替える（ステップＳ５０３）。各計測部は、モニタモードでの生体情報の計測を開始し、制御部９０は、得られた生体情報を、モニタモードでの生体情報を記憶させる領域に記憶させる（ステップＳ５０５）。ステップＳ５０５で制御部９０は、モニタモードで計測される最初の生体情報として、ステップＳ５０１でスポットチェックモードとして最後に計測されて記憶された生体情報を当該領域に記憶させる。つまり、制御部９０は、一時的な記憶領域に記憶されている生体情報を、当該記憶領域から計測モードで計測された生体情報を記憶させる領域に移す。なお、その際、一時的な記憶領域に記憶されている各生体情報のうち、血圧値は移動させる対象に含めず、その他の生体情報のみ移動させてもよい。すなわち、スポットチェックモードとして最後に計測された生体情報のうち、血圧値以外の生体情報のみをモニタモードで最初に計測される生体情報としてもよい。
【００４９】
その後、たとえば所定のボタンが押下されるなどの、モニタモードでの計測中に先のスポットチェックモードでの最終状態の確認を指示する操作がなされた場合（ステップＳ５０７でＹＥＳ）、制御部９０は、上述の一時的な記憶領域からステップＳ５０１で記憶された生体情報を読み出し、モニタモードに切替わる前のスポットチェックモードでそれらの値を提示する画面を表示させるよう制御信号を生成し、表示部４０に対して出力する（ステップＳ５０９）。これにより、表示部４０のモニタモードでの表示画面が先のスポットチェックモードでの最終状態の表示画面に切替わる。
【００５０】
上記ステップＳ４０７で以上のメモリ処理を含んだ切替処理が行なわれることで、計測モードが切替えられた場合であっても、各計測モードでの生体情報の記憶の欠落を抑えることができる。特に、モニタモードでは、計測対象の患者から連続して得られる生体情報の変化が診断にとって重要な情報となる場合があるため、記憶の欠如をできるだけ抑えることが重要である。第２の実施の形態においては上述の処理がなされてスポットチェックモードからモニタモードに自動的に切替えられるものではあるが、モニタモードに切替わる直前のスポットチェックモードで計測された生体情報は、本来、モニタモードで計測されるべき生体情報である可能性がある。つまり、モニタモードでの最初の計測値である可能性がある。上の処理が行なわれることで、モニタモードに切替わった際に、切替時の生体情報をモニタモードの最初の計測値として記憶させ、欠落なくモニタモードでの生体情報を記憶させることができる。これにより、診断に有用な生体情報の計測を可能とする。
【００５１】
［第３の実施の形態］
図１１は、第３の実施の形態での処理の具体例を示すフローチャートである。図１１のフローチャートは、ＣＰＵ９１が所定のプログラムを読み出して実行し、図２に示される各機能を発揮させることによって実現される。第１の実施の形態および第２の実施の形態は、計測部に対する意図的な操作の有無に応じて適した計測モードを判断して切替える構成であったが、第３の実施の形態では、一方の計測モードでのみ用いられる計測部からの信号の入力の有無に応じて適した計測モードを判断して切替える。ここで、モニタモードでは生体情報として血圧、酸素飽和度、心電、体温、および呼吸が計測され、スポットチェックモードでは血圧、酸素飽和度、および体温が計測される。つまり、スポットチェックモードでは心電および呼吸が計測されず、これら生体情報はモニタモードのみで計測される。そこで、第３の実施の形態で判断部９２は、スポットチェックモードで動作中において心電計測部２３または呼吸計測部２５から計測値を示す信号の入力を検出することで、自動的にモニタモードに切替えると判断する。なお、各計測モードで計測される生体情報は予め設定されているものであってもよいし、オペレータ等が任意に設定可能であってもよい。いずれの場合であっても、各計測モードで計測される生体情報の種類は予め制御部９０に記憶されており、制御部９０では、その記憶に基づいて、一方の計測モードで動作中に他方の計測モードに特有の生体情報を示す信号が入力されたことを検出することができる。
【００５２】
具体的に、図１１を参照して、判断部９２はスポットチェックモードでの動作中において各計測部から制御部９０への信号の入力を監視し、心電計測部２３または呼吸計測部２５から計測値を示す信号が入力されたことが検出された場合には（ステップＳ６０１でＹＥＳ）、モニタモードのみで計測される生体情報が計測されているとして、判断部９２は適した計測モードがモニタモードであると判断し、切替部９３に対して、計測モードをスポットチェックモードからモニタモードに切替えるための制御信号を出力する（ステップＳ６０３）。心電計測部２３および呼吸計測部２５のいずれからも計測値を示す信号が入力されていない場合には（ステップＳ６０１でＮＯ）、判断部９２は適した計測モードの判断を行なわない。その結果、切替部９３に対して上述の制御信号は出力されず、計測モードとしてスポットチェックモードが維持される（ステップＳ６０５）。
【００５３】
判断部９２で上述の処理が行なわれることで、スポットチェックモードでの動作中に、モニタモード特有の生体情報の計測結果が入力された場合には、自動的に計測モードがスポットチェックモードからモニタモードに切替わる。モニタ１で上のような動作がなされることで、本来、計測モードをモニタモードとすべきところをスポットチェックモードとして計測を行なった場合に、自動的に適切な計測モードであるモニタモードに切替えられる。その結果、モニタモードでは患者の生体情報にしきい値以上の変化が生じた場合、警報が発生し、オペレータが患者の生体情報のしきい値以上の変化、つまり容態の変化に気付くのが遅れる、などという重大な事態を避けることができる。
【００５４】
さらに、第３の実施の形態においても、上記ステップＳ６０３での計測モードの切替時に、第２の実施の形態で説明されたような、メモリ処理を含んだ切替処理が行なわれることが好ましい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】実施の形態にかかる生体情報モニタ（以下、モニタと略する）の概観の具体例を示す図である。
【図２】実施の形態にかかるモニタの構成の具体例を示すブロック図である。
【図３】第１の実施の形態での処理の具体例を示すフローチャートである。
【図４】第１の実施の形態での処理の他の具体例を示すフローチャートである。
【図５】ＳｐＯ２センサを用いて酸素飽和度を計測する際のＳｐＯ２センサの用い方を説明するための図である。
【図６】第１の実施の形態の第１の変形例における処理の具体例を示すフローチャートである。
【図７】第１の実施の形態の第２の変形例における処理の具体例を示すフローチャートである。
【図８】第２の実施の形態での処理の具体例を示すフローチャートである。
【図９】計測される生体情報の記憶方法を説明する図である。
【図１０】第２の実施の形態での処理におけるモニタモードへの切替処理の具体例を示すフローチャートである。
【図１１】第３の実施の形態での処理の具体例を示すフローチャートである。
【符号の説明】
【００５７】
１  モニタ、２  電極、３  ＳｐＯ２センサ、４  体温プローブ、５  腕帯、６  エアチューブ、１０  操作部、２０  生体情報計測部、２１  血圧計測部、２２  酸素飽和度計測部、２３  心電計測部、２４  体温計測部、２５  呼吸計測部、３１  開閉センサ、４０  表示部、５０  警報報知部、６０  記憶部、７０  通信部、８０  電源部、９０  制御部、９１  ＣＰＵ、９２  判断部、９３  切替部。
【図１】
2010104430.tif 000003
【図２】
2010104430.tif 000004
【図３】
2010104430.tif 000005
【図４】
2010104430.tif 000006
【図５】
2010104430.tif 000007
【図６】
2010104430.tif 000008
【図７】
2010104430.tif 000009
【図８】
2010104430.tif 000010
【図９】
2010104430.tif 000011
【図１０】
2010104430.tif 000012
【図１１】
2010104430.tif 000013